(57)【要約】【課題】店舗床面の冷気溜めに向かって温風を吹き出す店舗用空調装置において、オープンショーケースの冷凍負荷を増大させることなく冷気溜りを有効に解消または抑制できるようにする。【解決手段】店舗内に設置された冷凍・冷蔵オープンショーケースの近傍上部に空気吹出口８を有し、この空気吹出口８から店舗床面の冷気溜り７に向かって温風を吹き出す店舗用空調装置において、空気吹出口８を中央の主流路１７とその外側の副流路１８，１９とに仕切るとともに、副流路１８，１９から吹き出す気流の流速を主流路１７よりも大きくする。また、店舗内への空気の分配供給ダクトが台形箱形状の給気ダクトを備える場合には、分配ダクトと給気ダクトとをベンドで連結し、ベンド内方を複数個の曲がり流路に区画し、給気ダクトは内方に多孔状の均流化部材を備えるものとする。【選択図】図１
2007255879.tif 000002
【特許請求の範囲】
【請求項１】
空調設備で処理した空気をメインダクトから分配供給ダクトを介して店舗内に分配供給する店舗用空調装置において、
前記分配供給ダクトは、前記メインダクトから店舗室内に空気を分配する分配ダクトと、店舗室内空間に空気を吹出す給気ダクトと、前記分配ダクトおよび給気ダクトを連結するベンドとからなり、
前記ベンドは、その内方にベンド区画板により区画された複数個の曲がり流路を備え、前記給気ダクトは、その空気流入部から空気吹出し部に至る中間部内方に多孔状の均流化部材を備え、さらに、前記給気ダクトの空気吹出し部は、その内方に中央の主流路とその両外側の副流路とに仕切る仕切板を備えたことを特徴とする店舗用空調装置。
【請求項２】
請求項１記載の店舗用空調装置において、前記空気吹出し部の仕切板は、前記副流路から吹き出す気流の流速を前記主流路よりも大きくしたことを特徴とする店舗用空調装置。
【請求項３】
請求項１記載の店舗用空調装置において、前記空気吹出し部の仕切板は、前記空気吹出口を中央の主流路とその外側の副流路とに仕切り、かつ主流路を挟んで対向する前記副流路の開口面を前記主流路の開口面と直交させて互いに向い合わせるとともに、前記副流路から吹き出す気流の流速を前記主流路よりも大きくしたことを特徴とする店舗用空調装置。
【請求項４】
請求項１ないし３のいずれか１項に記載の店舗用空調装置において、前記均流化部材は、板状部材に多数の孔を設けたものとしたことを特徴とする店舗用空調装置。
【請求項５】
請求項１ないし３のいずれか１項に記載の店舗用空調装置において、前記均流化部材は、網状部材としたことを特徴とする店舗用空調装置。
【請求項６】
請求項１ないし３のいずれか１項に記載の店舗用空調装置において、前記均流化部材は、多数の孔を設けた板状部材または網状部材を複数段に設けたものとしたことを特徴とする店舗用空調装置。
【請求項７】
請求項１ないし３のいずれか１項に記載の店舗用空調装置において、前記ベンド区画板により区画された複数個の曲がり流路は、各流路断面積が略均等となるように区画されたことを特徴とする店舗用空調装置。
【請求項８】
店舗内に設置された冷凍・冷蔵オープンショーケースの近傍上部に空気吹出口を有し、この空気吹出口から店舗床面に向かって温風を吹き出す店舗用空調装置において、
前記空気吹出口を中央の主流路とその外側の副流路とに仕切るとともに、前記副流路から吹き出す気流の流速を前記主流路よりも大きくしたことを特徴とする店舗用空調装置。
【請求項９】
店舗内に設置された冷凍・冷蔵オープンショーケースの近傍上部に空気吹出口を有し、この空気吹出口から店舗床面に向かって温風を吹き出す店舗用空調装置において、
前記空気吹出口を中央の主流路とその外側の副流路とに仕切り、かつ主流路を挟んで対向する前記副流路の開口面を前記主流路の開口面と直交させて互いに向い合わせるとともに、前記副流路から吹き出す気流の流速を前記主流路よりも大きくしたことを特徴とする店舗用空調装置。
【請求項１０】
請求項８または９記載の店舗用空調装置において、前記冷凍・冷蔵オープンショーケースは、店舗床面から空気を吸引するための吸込み口を有し、この吸込み口に接続され、送風機を備えた吸込みダクトを介して、店舗床面に滞留した冷気を店舗の外に排出可能としたことを特徴とする店舗用空調装置。
【請求項１１】
請求項１０記載の店舗用空調装置において、店舗内への前記空気吹出口には、除湿ロータと冷凍機とを有するデシカント空調機から送出される空気を導入し、さらに、前記吸込みダクトを前記デシカント空調機に接続し、このデシカント空調機に導入される空気と前記吸込みダクトからの店舗床面滞留冷気とをデシカント空調機内で混合し、前記デシカント空調機において温度および湿度を調整した空気を前記空気吹出口から店舗内に吹き出すようにしたことを特徴とする店舗用空調装置。
【発明の詳細な説明】
【技術分野】
【０００１】
この発明は、店舗用空調装置に関し、特に冷凍・冷蔵オープンショーケースが設置されるスーパーマーケット等の店舗で用いられる空調装置に関する。
【背景技術】
【０００２】
冷凍・冷蔵オープンショーケースが配列された店舗においては、オープンショーケースのエアカーテンから流出する冷気により、店舗内の上下温度差が増大したり、ショーケース前面の通路上に冷気溜り、いわゆるコールドアイルが生じたりする。このような現象は買い物客に不快感を与え、特に冷気溜りは足元を冷やすという問題を生じる。コールドアイル対策については、例えば特許文献１〜特許文献３に記載されている。特許文献１は、「ショーケース内に設けられた凝縮器の排熱を利用して冷気を解消する方法」を開示する。また、特許文献２および３は、「コールドアイルの冷気を、ショーケースのベース部に設けた空気吸込み口から吸込み、店舗の天井部に設置した空調機本体に導入する構成」を開示する。さらに、別の方策として、後述するように、ショーケース前面通路の上方部や店舗天井部に設置された空気吹出口から温風を床面に吹き出す方法が知られている。
【０００３】
図８は、店舗天井部の空気吹出口から温風を床面に吹き出す従来方法を説明する店舗の縦断面図である。図８において、店舗１に設置されたオープンショーケース２は前面開口に二重エアカーテンを有する公知のもので、商品陳列室３の外側に内外二重の空気循環通路が設けられ、送風ファン４の運転で空気循環通路を循環する空気により、前面開口に二重エアカーテン５が形成される。内側の空気循環通路には冷却器６が設置され、冷却器６を通過して冷却された空気（冷気）は二重エアカーテン５の内側に冷気エアカーテンを形成して庫内を冷却する。二重エアカーテン５の外側は非冷エアカーテンで、冷気エアカーテンによる外気の巻き込みを防止する保護エアカーテンの働きをしている。
【０００４】
オープンショーケースの前面開口は、上記した通り二重エアカーテン５で外気から遮断されているが、冷気エアカーテンから外部への冷気のある程度の流出は避けられない。この流出冷気は周囲空気より比重が大きため、図８に示す通りショーケース前方の通路上に冷気溜り７を形成する。そこで、図示の場合は、店舗天井部の空気吹出口８から冷気溜り７が生じた店舗床面に向かって温風９を吹き出している。空気吹出口８は断面長方形の開口で、図示しない天井裏のダクトから供給された加温空気は店舗床面に向かって垂直下方に吹き出され、冷気溜り７の冷気を中和する。
【特許文献１】特開昭５０−１２２０４５号公報
【特許文献２】特開平５−２３１６９９号公報
【特許文献３】特開平６−２７２８９８号公報
【発明の開示】
【発明が解決しようとする課題】
【０００５】
図８において、買物客に不快感を与えないように、温風９を微風速で吹き出した場合、温風９は床面に達する前に拡散して周囲空気と混合し、冷気溜り７を充分に解消するに至らない。そこで、温風９の吹出し風速や温度を上げると、拡散した温風９が図８に示すようにエアカーテン５と干渉し、ショーケースの冷凍負荷が増大してしまうという問題が生じる。温風９の拡散は、図９に示すように、温風９と周囲空気とが接する境界で、いわゆるせん断層の不安定により生じた小規模の渦列１０が互いに合体して大規模渦１１を生成し、この大規模渦１１が周囲空気を巻き込んで混合することによる。
【０００６】
そこで、この発明は、店舗床面に向かって温風を吹き出す店舗用空調装置において、オープンショーケースの冷凍負荷を増大させることなく、店舗内の上下温度差や通路上に冷気溜りを有効に解消または抑制できるようにすることを課題とするものである。
【課題を解決するための手段】
【０００７】
本発明によれば、上記課題は以下により達成される。即ち、空調設備で処理した空気をメインダクトから分配供給ダクトを介して店舗内に分配供給する店舗用空調装置において、前記分配供給ダクトは、前記メインダクトから店舗室内に空気を分配する分配ダクトと、店舗室内空間に空気を吹出す給気ダクトと、前記分配ダクトおよび給気ダクトを連結するベンドとからなり、前記ベンドは、その内方にベンド区画板により区画された複数個の曲がり流路を備え、前記給気ダクトは、その空気流入部から空気吹出し部に至る中間部内方に多孔状の均流化部材を備え、さらに、前記給気ダクトの空気吹出し部は、その内方に中央の主流路とその両外側の副流路とに仕切る仕切板を備えたことを特徴とする（請求項１）。
【０００８】
上記発明の実施態様としては、下記請求項２ないし７の発明が好ましい。即ち、前記請求項１記載の店舗用空調装置において、前記空気吹出し部の仕切板は、前記副流路から吹き出す気流の流速を前記主流路よりも大きくしたことを特徴とする（請求項２）。また、前記請求項１記載の店舗用空調装置において、前記空気吹出し部の仕切板は、前記空気吹出口を中央の主流路とその外側の副流路とに仕切り、かつ主流路を挟んで対向する前記副流路の開口面を前記主流路の開口面と直交させて互いに向い合わせるとともに、前記副流路から吹き出す気流の流速を前記主流路よりも大きくしたことを特徴とする（請求項３）。
【０００９】
また、前記請求項１ないし３のいずれか１項に記載の店舗用空調装置において、前記均流化部材は、板状部材に多数の孔を設けたものとする（請求項４）。さらに、前記請求項１ないし３のいずれか１項に記載の店舗用空調装置において、前記均流化部材は、網状部材とする（請求項５）。さらにまた、前記請求項１ないし３のいずれか１項に記載の店舗用空調装置において、前記均流化部材は、多数の孔を設けた板状部材または網状部材を複数段に設けたものとする（請求項６）。
【００１０】
また、前記請求項１ないし３のいずれか１項に記載の店舗用空調装置において、前記ベンド区画板により区画された複数個の曲がり流路は、各流路断面積が略均等となるように区画されたことを特徴とする（請求項７）。
【００１１】
また、前記課題は、前記分配供給ダクトの形式に拘らず下記請求項８または９の発明によっても達成される。即ち、店舗内に設置された冷凍・冷蔵オープンショーケースの近傍上部に空気吹出口を有し、この空気吹出口から店舗床面に向かって温風を吹き出す店舗用空調装置において、前記空気吹出口を中央の主流路とその外側の副流路とに仕切るとともに、前記副流路から吹き出す気流の流速を前記主流路よりも大きくしたことを特徴とすることを特徴とする（請求項８）。
さらに、店舗内に設置された冷凍・冷蔵オープンショーケースの近傍上部に空気吹出口を有し、この空気吹出口から店舗床面に向かって温風を吹き出す店舗用空調装置において、前記空気吹出口を中央の主流路とその外側の副流路とに仕切り、かつ主流路を挟んで対向する前記副流路の開口面を前記主流路の開口面と直交させて互いに向い合わせるとともに、前記副流路から吹き出す気流の流速を前記主流路よりも大きくしたことを特徴とする（請求項９）。
【００１２】
上記発明によれば、空気吹出部のスパン方向、奥行き方向の風量偏りを低減・均等化することが可能になり、オープンショーケース前の冷気溜り（コールドアイル）を効率よく解消または抑制することができる。
温風を形成する気流は、空気吹出口の付近で小さな渦を生じるとともに、空気吹出口より遠くなるにつれて隣接空気との速度差から周囲空気を巻き込んで渦を成長させる。そこで、特に前記請求項２または８の発明のように、主流路から吹き出す気流（主流）の外側に、副流路からの気流（副流）を主流よりも大きい流速で形成することにより、主流から副流に向う逆向きの渦を生じさせ、大規模な渦の発達を抑制し、あるいは遅延させて温風内への外気の巻き込みを減少させることができる。
【００１３】
また、前述のように、温風は空気吹出口の付近でせん断層の不安定性に起因する小規模な渦列を生じさせるとともに、空気吹出口より遠くなるにつれて隣接空気との速度差から周囲空気を巻き込んで渦を成長させる。そこで、請求項３または９の発明のように、主流路から吹き出す気流（主流）に、主流路の開口面近傍で副流路からの気流（副流）を主流よりも大きい流速で吹き付けることにより、せん断層の不安定性を押え込み、小規模な渦列の成長による大規模な渦の発生を抑制し、あるいは遅延させて外気の巻き込み減少させることができる。
【００１４】
さらに、前記請求項８または９の発明の実施態様としては、下記請求項１０または１１の発明が好ましい。即ち、請求項８または９記載の店舗用空調装置において、前記冷凍・冷蔵オープンショーケースは、店舗床面から空気を吸引するための吸込み口を有し、この吸込み口に接続され、送風機を備えた吸込みダクトを介して、店舗床面に滞留した冷気を店舗の外に排出可能としたことを特徴とする（請求項１０）。また、前記請求項１０記載の店舗用空調装置において、店舗内への前記空気吹出口には、除湿ロータと冷凍機とを有するデシカント空調機から送出される空気を導入し、さらに、前記吸込みダクトを前記デシカント空調機に接続し、このデシカント空調機に導入される空気と前記吸込みダクトからの店舗床面滞留冷気とをデシカント空調機内で混合し、前記デシカント空調機において温度および湿度を調整した空気を前記空気吹出口から店舗内に吹き出すようにしたことを特徴とする（請求項１１）。
【００１５】
上記請求項１０の発明によれば、オープンショーケースの床面吸込み口から、滞留冷気を吸引することにより、空気吹出口から店舗内に吹き出す風速を小さくできるので、オープンショーケースのエアカーテンで冷却された空気の流出および床面滞留を低減し、店舗内の上下温度差や客への不快感を抑制し、かつエアカーテンとの干渉の抑制を図ることができる。さらに、上記請求項１１の発明によれば、デシカント空調機内で店舗床面滞留冷気を混合することにより、温度および湿度が調整された空気が効率的に冷気溜りを解消するとともに、滞留冷気分だけデシカント空調機における冷凍機の負荷が軽減できるので、消費電力の低減が図れる。
【発明の効果】
【００１６】
この発明によれば、温風のせん断層上で生じる渦の成長を抑制し、あるいは遅延させることにより周囲空気の巻き込みを減少させ、温風の拡散を抑えることができるので、床面まで温風を到達させて店舗内での上下温度差と床面上での冷気溜りの発生を改善し、また温風とショーケースエアカーテンとの干渉による冷凍負荷の増大を防止することが可能になる。
また、空気吹出部のスパン方向、奥行き方向の風量偏りを低減・均等化することが可能になり、オープンショーケース前の冷気溜りをさらに効率よく解消または抑制することができる。
従って、買物客に不快感を抱かせず再来店の可能性を高めるとともに、オープンショーケース内の温度上昇を防いで消費電力を低減することができる。
さらに、オープンショーケースの床面吸込み口から、滞留冷気を吸引することにより、店舗内の快適性を効率よく一層向上させることができる。
【発明を実施するための最良の形態】
【００１７】
以下、図１〜図７に基づいて、この発明の実施の形態を説明する。なお、従来例と対応する部分や同一機能部材には原則として同一の符号を用いるものとする。
【実施例１】
【００１８】
図１は、この発明の実施例１を示す空気吹出口の縦断面図である。図１において、店舗の天井裏に水平に配設されたメインダクト１２から水平に分岐する分配ダクト１３の終端に直方空間からなるチャンバボックス１４が設置され、その下面から垂直下方に天井板１５に達するように、長方形断面の空気吹出口８が設けられている。ここで、空気吹出口８は、相対する内壁面の内側の２枚の仕切板１６により、中央の主流路１７とその両側の２つの副流路１８及び１９とからなる３つの流路に仕切られている。２枚の仕切板１６の上端部は内側にく字状に折り曲げられ、副流路１８，１９の入口断面積は主流路１７より大きくなるように構成されている。しかして、メインダクト１２から分配ダクト１３、チャンバボックス１４を経て空気吹出口８から吹き出される暖気の流量は、仕切板１６により所定の割合で各流路１７〜１９に振り分けられる。
【００１９】
このような吹出口構造において、空気吹出口８から吹き出される気流は、主流路１７から吹き出される主流２０と、その前後両側において副流路１８，１９から主流２０と平行に吹き出される副流２１とからなる。ここで、副流２１の流速は主流２０よりも大きく、例えば２〜４倍になっている。つまり、高速の副流２１が、低速の主流２０を挟み込んでいる。このような流速配分は、仕切板１６による流路１７〜１９の入口断面積や、図示しない整流体の組み込みによる流路抵抗の調整で達成される。
【００２０】
さて、図１において、主流２０の両側のせん断層に、せん断層の不安定性に起因する小規模な渦列１０が生成する。この渦列１０は下流に向って成長しようとするが、主流２０の両側には高速の副流２１が存在し、主流２０から副流２１に向う逆向きの渦２２を生じさせる。そのため、主流２０の小規模な渦列１０の成長が弱まり、大規模渦の生成が抑制されて、大規模渦の拡散・混合による外気の巻き込みが減少する。その結果、図３に示すように、温風９はほとんど拡散することなく床面に達し、冷気溜り７を有効に緩和する。また、近傍のオープンショーケース２のエアカーテン５を乱すことも少ない。
【実施例２】
【００２１】
図２は、この発明の実施例２を示す空気吹出口の縦断面図である。図２において、実施例１との相違は、副流路１８及び１９の開口面１８ａ及び１９ａは、風向板２３により主流路１７の開口面１７ａと直交して、互いに向かい合うように形成されている点である。副流２１の流速は実施例１と同様に主流２０よりも大きく、例えば２〜４倍になっている。
【００２２】
図２において、主流路１７の開口面１７ａの付近で主流２０の両側のせん断層中に、せん断層の不安定性に起因する小規模な渦列１０が生成しようとするが、この開口面付近の主流２０には、副流２１が高速で吹き付けられる。そのため、せん断層の不安定性が押え込まれ、小規模な渦列１０の成長に基づく大規模渦の発生が抑制される。その結果、この実施例２においても外気の巻き込みが減少し、温風９の拡散が抑えられる。
【００２３】
なお、図示実施の形態においては、長方形断面の空気吹出口の対向する２面の内側に仕切板を設けたが、他の対向２面も含めて４面の内側に仕切板を設けることも可能である。また、空気吹出口が断面円形の場合には、その内周面全体の内側に環状の仕切板を設けることができる。更に、空気吹出口は店舗の天井部に設けた例を示したが、店舗の壁面や天井面から店内に水平あるいは垂直に突出させたダクトに空気吹出口を設けることも可能である。
【実施例３】
【００２４】
図４に基づいて実施例３について述べる。図４は、図１における分配ダクト１３から空気吹出口８に至る部分（以下、分配供給ダクトという。）の構成が異なる場合の実施例を示す。図４（ａ）は前記分配供給ダクト１００の斜視図、図４（ｂ）は図４（ａ）のスパン方向における正面断面図であって空気の流れを模式的に示した図、図４（ｃ）は図４（ａ）の奥行き方向における側断面図であって空気の流れを模式的に示した図である。図４の実施例において、図１における仕切板１６は、図４（ｃ）において部番１６ａとして簡略化して示す。
図４において、１３ａは分配ダクト、５１ａは給気ダクト、５３ａは給気ダクトの空気吹出し部、３０は給気、３１は分配ダクト内の空気の流れ、３２は給気ダクト内の空気の流れ、３３は空気吹出し部の空気の流れを示す。
【００２５】
図４（ａ）に示す分配供給ダクト１００の構成は、店舗用空調装置としてよく使用される構成であり、図１に示したものとは異なり、店舗内換気のために空気を分配する分配ダクト１３ａは台形箱形状の給気ダクト５１ａに直結される。このような分配供給ダクトの場合であっても、前記仕切板１６ａの採用により、冷気溜りを抑制する効果が得られる。
【００２６】
しかしながら、上記実施例の場合には、図４(ｂ)に示すように、給気ダクト５１ａの台形箱形状のために給気ダクト内部で空気の流れ経路が偏ってしまい、空気吹出し部５３ａのスパン方向で中央部分と両脇部分で空気の吹出し量が偏る。また図４(ｃ)に示すように、給気ダクト５１ａの奥行き方向にも吹出し空気量の偏りが生じる。即ち、空気吹出し部スパン方向の両脇部分と中央部分で風量が大きい領域が生じ、また奥行き方向でも前方で吹出し風量が多くなる。
【００２７】
上記のように、吹出し風量に偏りが生ずると以下のような不具合が発生する。まず、スパン方向に風量偏りがあると、給気ダクト５１ａの吹出し風量が少ない領域では冷気溜り（コールドアイル）の解消が不十分になるため冷気を感じ、一方、吹出し風量が大きい領域ではコールドアイルは解消されるものの暖気を感じるため、オープンショーケース前を移動する買物客はこの温度差のために不快感を感してしまう。
【００２８】
また、吹出し口奥行き方向に風量偏りがあると、吹出し空気の流れ制御が困難となり、吹出し空気流の蛇行や奥行き幅の拡大が生じてしまい、オープンショーケースの冷気エアカーテンとの干渉が増大してエアカーテン流を乱し、冷気エアカーテンの適切な流れ制御が困難になるとともに、エアカーテン温度の上昇、ひいてはショーケース内温度の上昇を招いて、オープンショーケースの消費電力が増加してしまう。
【００２９】
そこで、図４に示す分配供給ダクト１００を備える店舗用空調装置の場合、冷気溜りの解消効率を向上するためには、吹出し風量の偏りを抑制して吹出し風量を均等化することが望ましい。
【実施例４】
【００３０】
上記観点から改良した実施例４を図５に示す。図５（ａ）は分配供給ダクトのスパン方向の正面断面図、図５（ｂ）は奥行き方向の側断面図を示す。図５の実施例に係る分配供給ダクト１００は、図示しないメインダクトから店舗室内に空気を分配する分配ダクト１３ａと、店舗室内空間に空気を吹出す給気ダクト５１と、前記分配ダクト１３ａおよび給気ダクト５１を連結するベンド５０とからなり、前記ベンド５０は、その内方にベンド区画板６０により区画された複数個の曲がり流路を備え、前記給気ダクト５１は、その空気流入部５２から空気吹出し部５３に至る中間部内方に多孔状の均流化部材７０を備え、さらに、前記給気ダクトの空気吹出し部５３は、その内方に中央の主流路とその両外側の副流路とに仕切る仕切板１６ａを備える。なお、仕切板１６ａの構成としては、前述の図１または図２に示した構成が好ましい。また、分配ダクト１３ａには、異なる流路断面積や形状を有する部材間を流体的に滑らかに接続するために、縮流部１３ｂを設けることができる。
【００３１】
上記実施例において、ベンド５０は、ベンドの曲率に合わせた２枚のベンド区画板６０が、仕切られた空気通路の断面積がほぼ等しくなる様に設けられる。これにより、仕切られた各流路に流入する空気流量がほぼ等しくなるので、ベンド５０出口での奥行き方向の風量偏りを抑制することができる。なお、ベンド区画板６０の枚数は２枚に限定されるものではなく、ベンド５０の寸法や流量によって増減させることができる。
【００３２】
上記実施例における均流化部材７０は、ベンド５０から流入した空気流をスパン方向に分散させて風量分布を均等化させる機能を有する。給気ダクト５１の空気流入部５２に対して空気吹出し部５３の面積が大きいので、空気流入部５２から空気吹出し部５３に向かって給気ダクト内の断面積が拡大している。この断面積が拡大している部分に多孔状の均流化部材７０を設けることにより、ベンド５０から流入した空気流をスパン方向に分散させて均等化させることができる。この均流化部材７０は、例えばパンチドメタルのような板状部材に様々な形状の孔を多数設けたものや、金属、樹脂あるいはその他の材料の糸状部材を編んだ網状部材でよい。また、これらを複数段に設ける構成でもよい。
【実施例５】
【００３３】
次に、オープンショーケースの床面吸込み口から滞留冷気を吸引する実施例について、図６に基づいて述べる。図６において、前記図３に示した部材と同一部材には、同一番号を付してその説明を省略する。なお、図６においては、後述する図７と同様に、店舗内への空気吹出口８には、除湿ロータ３４と冷凍機３５とを有するデシカント空調機３１から送出される空気を導入し、デシカント空調機３１において温度および湿度を調整した空気を前記空気吹出口８から店舗１内に吹き出すように構成した例を示すが、前記図４ないし５に示したように、デシカント空調機３１を用いない構成であってもよい。なお、デシカント空調機３１の詳細については、次の実施例６において、図７に基づいて詳述する。
【００３４】
図６の実施例における特徴的な構成は、オープンショーケースの床面吸込み口２８を、例えば、オープンショーケースの前面の床面部近傍に設け、この吸込み口２８から、送風機４０を備えた冷気吸込みダクト２９を介して、店舗床面に滞留した冷気を店舗の外に排出可能とした点にある。図６において、店舗内への空気吹出口８は、図１または図２に示したような構成を備えている。従って、図１または図２の構成による冷気溜りの緩和効果に加えて、さらに、オープンショーケースの床面吸込み口から滞留冷気を吸引する構成により、より一層の床面冷気滞留の低減効果が得られる。また、空気吹出口から店舗内に吹き出す温風９の風速を小さくできるので、エアカーテンとの干渉の抑制向上を図ることができ、さらに店舗内の上下温度差の抑制効果が得られ店舗内の快適性が向上する。
【実施例６】
【００３５】
次に、図７の実施例について述べる。図７において図３および図６に示した部材と機能が同一の部材には同一番号を付す。図７に示す部材を、あらためて列記すると、１は店舗、２はオープンショーケース、５はエアカーテン、７は冷気溜り、８は空気吹出口、９は温風、２８はオープンショーケース床面吸込み口、２９は冷気吸込みダクト、３１はデシカント空調機、３２は外気、３３は外気用ダクト、３４は除湿ロータ、３５は冷凍機、３６は調整された空気、３７は店舗内吹出しダクト、４０は送風機である。デシカント空調機とは、除湿剤を付着させた除湿ロータにより除湿する機能を備えた空調機で、例えば、特開２００４−１５０７３３号公報や特開２００５−２３３５２８号公報に開示されるように、目的に応じて除湿ロータ以外に、加熱器、冷却器、冷凍機等を備える。
【００３６】
図７の実施例においては、店舗１内への空気吹出口８は、前記図１または図２に示したような構成を備えており、また、この空気吹出口８には、除湿ロータ３４と冷凍機３５とを有するデシカント空調機３１から送出される空気を店舗内吹出しダクト３７を介して導入し、さらに、オープンショーケース床面吸込みダクト２９をデシカント空調機３１の例えば冷凍機３５の前段に接続し、このデシカント空調機３１に導入される空気と前記冷気吸込みダクト２９からの店舗床面滞留冷気とをデシカント空調機３１内で混合し、デシカント空調機３１において温度および湿度を調整した空気を、空気吹出口８から店舗１内に吹き出すように構成している。
【００３７】
上記構成によれば、デシカント空調機３１に混入された冷気と除湿ロータ３４で除湿された空気とが混入され、冷凍機３５により温度調節し、送風機４０により店舗内吹出しダクト３７を介して空気吹出口８から店舗１内に給気する。これにより、図６の実施例に比べて、床面の冷気分だけ冷凍機の負荷を軽減でき、消費電力が低減できる。さらに、冷凍機の容量ダウンによる低コスト化が図れる。
【産業上の利用可能性】
【００３８】
本発明は、店舗用空調装置への適用以外に、その他の空調や換気システム、例えば、室内に複数の作業ブースを備えるクリーンルームの空調等の用途にも、本発明の技術思想の範囲内において広く適用できる。
【図面の簡単な説明】
【００３９】
【図１】この発明の実施例１を示す空気吹出口の縦断面図。
【図２】この発明の実施例２を示す空気吹出口の縦断面図。
【図３】図１の空気吹出口を有する店舗の縦断面図。
【図４】この発明の実施例３を示す分配供給ダクトの構成図。
【図５】この発明の実施例４を示す分配供給ダクトの構成図。
【図６】この発明の実施例５を示す模式的概略構成図。
【図７】この発明の実施例６を示す模式的概略構成図。
【図８】従来の空気吹出口を有する店舗の縦断面図。
【図９】従来の空気吹出口の縦断面図。
【符号の説明】
【００４０】
１：店舗、２：オープンショーケース、５：エアカーテン、７：冷気溜り、８：空気吹出口、１２：メインダクト、１３，１３ａ：分配ダクト、１４：チャンバボックス、１３ｂ：縮流部、１６，１６ａ：仕切板、１７：主流路、１８，１９：副流路、２０：主流、２１：副流、２３：風向板、２８：オープンショーケース床面吸込み口、２９：冷気吸込みダクト、３１：デシカント空調機、３２：外気、３３：外気用ダクト、３４：除湿ロータ、３５：冷凍機、３６：調整された空気、３７：店舗内吹出しダクト、４０：送風機、５０：ベンド、５１，５１ａ：給気ダクト、５２：空気流入部、５３，５３ａ：空気吹出し部、６０：ベンド区画板、７０：均流化部材、１００：分配供給ダクト。
【図１】
2007255879.tif 000003
【図２】
2007255879.tif 000004
【図３】
2007255879.tif 000005
【図４】
2007255879.tif 000006
【図５】
2007255879.tif 000007
【図６】
2007255879.tif 000008
【図７】
2007255879.tif 000009
【図８】
2007255879.tif 000010
【図９】
2007255879.tif 000011